(57)【特許請求の範囲】
【請求項１】
履物の裏への取り付けに適応される、履物のための移動可能な滑り止め構造体であって、
上面と下面と、該上面と該下面とを結合する周辺縁を有するハブと、
該上面からほぼ上向きに軸に沿って延びる裏係合部と、
複数の芝係合部材であって、各芝係合部材は、該ハブ上の個々の位置に接続された近位端、および遠位端を有し、各芝係合部材は該周辺縁から該軸に対して外方に向けて角度をなしかつ該ハブから下方へ延び、該遠位端は該ハブの該下面を越えて下方に、かつ該周辺縁から外向きに配置される芝係合部材と、
を備え、
該芝係合部材は、該ハブの該周辺縁に対して偏向可能に接着し、該移動可能な滑り止め構造体が該履物に対して接着したとき、該芝係合部材は、該履物の着用者の重量の元で該履物の底に向けて、外向けおよび上向きに偏向する、
滑り止め構造体。
【発明の詳細な説明】
【０００１】
【発明の属する技術分野】
スポーツ活動で使用する運動靴。
【０００２】
【従来の技術】
スポーツ活動で使用する運動靴は、しばしば、より優れた引っ掛かりのために、靴の裏から突出しているスパイクを設ける。図１において、靴６０のようなゴルフシューズは、従来、靴裏６０ａに取り付けられた各ベースフランジ６４から約８ｍｍ下方に延びる、靴裏６０ａから突出している多数の単一スパイク６２を有する。スパイク６２は、引っ掛かりを与えるために、地面３６に十分深く侵入する。最近、スパイクが芝生、特にゴルフコースのグリーンに与えるダメージのために、これら従来のゴルフスパイクの使用を、ゴルフコースが禁止し始めている。
【０００３】
従来のスパイクの禁止に対処するために、ゴルフスパイク製造業者は、図２に示すように、従来のスパイクベースフランジ６４に、約２ｍｍ高さの多数の小さい突起６６を円形状に配置している。この解決法の欠点は、特に、湿った地表において、地面をかむ力がほとんどなくなり、ゴルファーの支持および保護が基準以下となることである。
【０００４】
【発明が解決しようとする課題】
スパイクが芝生、特にゴルフコースのグリーンに与えるダメージのために、これら従来のゴルフスパイクの使用を、ゴルフコースが禁止し始めている。
【０００５】
【課題を解決するための手段】
本発明は、上位層および下位層を有する芝生上で使用するための履物裏に固定する履物の滑り止め構造体であって、
中心ハブ部と、
径方向の外向きおよび下向きに該ハブ部から、該ハブ部よりも径方向外方および下方に突出して、ほぼ平坦な頂部で終端するまで延びる弾性部であって、該履物裏が該芝生にある時は、該頂部が外向きかつ該履物裏に実質上平行となって延び、該芝生にからんだり傷つけたりせず、引っ掛かりが不必要な時は、該芝生へのダメージをさらに避けるように、該頂部は上向きに偏向し、隣接する頂部間には頂部を連結する側縁が形成され、該滑り止め構造体が該芝生内で横方向に移動する時は、該頂部が下向きに偏向して、該連結する側縁および頂部が該芝生の該上位層にからむ、弾性部と、を備えた履物の滑り止め構造体を提供する。
【０００６】
１つの実施形態において、本発明は、上記頂部が湾曲している、滑り止め構造体を提供する。
【０００７】
１つの実施形態において、本発明は、上記各頂部は第１の側縁および第２の側縁を有し、該第２の側縁が該第１の側縁よりも短い、滑り止め構造体を提供する。
【０００８】
１つの実施形態において、本発明は、上記第１の側縁は凸形湾曲を有し、上記第２の側縁は凹形湾曲を有する、滑り止め構造体を提供する。
【０００９】
１つの実施形態において、本発明は、上記滑り止め構造体が柔軟なプラスチックから形成されている、滑り止め構造体を提供する。
【００１０】
１つの実施形態において、本発明はさらに、上記中心ハブ部から延びて、履物に上記滑り止め構造体を固定するためのねじ部を備えた滑り止め構造体を提供する。
【００１１】
１つの実施形態において、本発明は、上記滑り止め構造体が上記履物裏に固定された状態で、上記頂部が上記履物裏から隔てられている、滑り止め構造体を提供する。
【００１２】
１つの実施形態において、本発明は、上記滑り止め構造体が一体物である、滑り止め構造体を提供する。
【００１３】
本発明は、上位層および下位層を有する芝生上で使用するための履物裏に固定する履物の滑り止め構造体の製造方法であって、
中心ハブ部を設ける工程と、
径方向の外向きおよび下向きにハブ部から、ハブ部よりも径方向外方および下方に突出して、ほぼ平坦な頂部で終端するまで、弾性部を設ける工程であって、該履物裏が該芝生にある時は、該頂部は外向きかつ該履物裏に実質上平行となって延び、該芝生にからんだり傷つけたりせず、引っ掛かりが不必要な時は、該芝生へのダメージをさらに避けるように、該頂部は上向きに偏向し、隣接する頂部間には頂部を連結する側縁が形成され、該滑り止め構造体が該芝生内で横方向に移動する時は、該頂部が下向きに偏向して、該連結する側縁および頂部が該芝生の該上位層にからむ工程と、
を包含する、履物の滑り止め構造体の製造方法を提供する。
【００１４】
１つの実施形態において、本発明はさらに、上記各頂部が凸形の第１の側縁およびこれよりも短い凹形の第２の側縁を有するように、該頂部を湾曲させる工程を包含する、滑り止め構造体の製造方法を提供する。
【００１５】
１つの実施形態において、本発明はさらに、上記頂部が上向きに偏向できるように、該頂部を柔軟なプラスチックから形成する工程を包含する、滑り止め構造体の製造方法を提供する。
【００１６】
本発明は、上位層および下位層を有する芝生上で、滑り止め構造体を有する履物に安全な歩行を提供する方法であって、
該履物は底を有し、該滑り止め構造体は、該履物の底に固定される中心ハブ部と、径方向の外向きおよび下向きに該ハブ部から、該ハブ部よりも径方向外方および下方に突出して、ほぼ平坦な頂部で終端するまで、延びる弾性部であって、該頂部は外向きで履物底に実質上平行に延び、隣接する頂部間には頂部を連結する側縁が形成され、
該提供方法は、該履物の下の芝生の上位層に、該履物がスリップするのを防止するように、該頂部および連結する側縁が水平にからむ工程であって、該滑り止め構造体が該芝生内で横方向に移動する時は、該頂部が下向きに偏向する工程、を包含する、安全な歩行の提供方法を提供する。
【００１７】
１つの実施形態において、本発明はさらに、上記履物の底と上記頂部との間の芝生を捕らえる工程を包含する、安全な歩行の提供方法を提供する。
【００１８】
１つの実施形態において、本発明は、上記芝生に水平にからむ工程が、草繊維を上記頂部でからめることを含む、安全な歩行の提供方法を提供する。
【００１９】
【発明の実施の形態】
本発明は、従来のスパイクと同様の支持を提供し、同時に、ゴルフコースグリーンのような芝生を傷つけないゴルフシューズのような履物の滑り止め構造体を提供することを目的とする。本発明の滑り止め構造体は、中心ハブ部と、このハブ部で片持ち支持され、かつ、このハブ部から径方向の外向きに延びる、芝生にからむ多数の突起または突出とを有する。
【００２０】
好適な実施形態では、突起は、また、ハブ部からわずかに下向きに延びて、下方に突出している。滑り止め構造体が履物裏に固定された状態で、突起は、履物裏から隔てられる。滑り止め構造体は、柔軟なプラスチックから形成されており、したがって、突起は、弾力性があり、上向きに偏向できる。突起は、第１の凸形側縁および第２の凹形側縁で湾曲し、第２の側縁は、好ましくは第１の側縁よりも短い。ねじ部が、中心ハブから延びて、履物に滑り止め構造体を固定する。
【００２１】
従来のスパイクが芝生の下位層に侵入するように設計されているのに対して、本発明の滑り止め構造体は、芝生の下位層に侵入することによる履物と芝生の間の引っ掛かりを与えない。本発明の滑り止め構造体の靴を履く人が、フェアウェー、または起伏の多い地表を有するラフにおいて任意の方向にスリップし始めた場合、突起は、突起と履物の裏の間の領域における芝の一部を捕らえて、地面上方の芝生にからむ。しかし、ゴルフグリーンのような比較的平坦で固い地表上を歩く時、履く人の体重によって、突起が上向きに偏向するか折り曲げられる結果、突起を引っ込ませて芝生とからませない。これにより、滑り止め構造体は休止し、ゴルフグリーンのような地表に対するダメージを防止する。ほとんどのゴルフグリーンは比較的平坦な地表なので、引っ掛かりは、通常不必要で、引っ掛かりなしで歩く間にスリップすることはほとんどない。本発明の滑り止め構造体のさらなる利点は、この滑り止め構造体を有する履物が、床材を傷つけることなく屋内で履けることである。これは、滑り止め構造体の柔らかいプラスチック材料と、床材を押した時に、構造体の突起が、不作動または拘留状態になることによるものである。
【００２２】
図３，４，５および６において、ゴルフシューズ３０は、ゴルフシューズ３０の裏３０ａに取り付けられた、多数の本発明の滑り止め構造体１０を有する各滑り止め構造体１０は、中心ハブ部２０から径方向の外向きに延び、かつ下向きに湾曲して、中心ハブ部２０よりも外方および下方に突出している、複数の芝係合突起１２ａ，１２ｂ，１２ｃおよび１２ｄを持つ弾性部を有する。各芝生にからむ要素１２ａ，１２ｂ，１２ｃおよび１２ｄは、隣接する頂部１８ａ，１８ｂ，１８ｃおよび１８ｄ間にそれぞれ形成された、第１の湾曲凸形側縁１６ａ，１６ｂ，１６ｃおよび１６ｄを、第２の湾曲凹形側縁１４ａ，１４ｂ，１４ｃおよび１４ｄのほかに有する。湾曲凸形側縁１６ａ，１６ｂ，１６ｃおよび１６ｄは、湾曲凹形側縁１４ａ，１４ｂ，１４ｃおよび１４ｄよりも長い。これによって、頂部１８ａ，１８ｂ，１８ｃおよび１８ｄが、中心ハブ部２０から、これよりも径方向の外方に突出して、外向きの螺旋形になる。好ましくは、湾曲凸形側縁１６ａ，１６ｂ，１６ｃおよび１６ｄは、湾曲凹形側縁１４ａ，１４ｂ，１４ｃおよび１４ｄの３倍よりも長い。芝係合突起１２ａ，１２ｂ，１２ｃおよび１２ｄは、中心ハブ部２０により片持ち支持されている。芝係合突起１２ａ，１２ｂ，１２ｃおよび１２ｄの下向きの湾曲は、頂部１８ａ，１８ｂ，１８ｃ，および１８ｄの近くで外向きに湾曲し始めて、頂部が、ほぼ平坦で水平となり、かつ靴の裏３０ａに平行となる。芝係合突起１２ａ，１２ｂ，１２ｃおよび１２ｄが、中心ハブ部２０から径方向外向きおよび下向きに延びているため、円形状の溝３４が、靴の裏３０ａと、芝係合突起１２ａ，１２ｂ，１２ｃおよび１２ｄとの間の中心ハブ部２０の円周の回りに形成されている（図７）
滑り止め構造体１０は、好ましくは、４０デュロメータの熱可塑性ウレタンのような柔らかいプラスチック材料から型成形されて、芝係合突起１２ａ，１２ｂ，１２ｃおよび１２ｄが  可撓性をもつ。例えば、図５に示すように、芝係合突起１２ａおよび１２ｃは、それぞれ、円弧１９’および１９に沿って撓む。これによって、芝係合突起１２ａ，１２ｂ，１２ｃおよび１２ｄが、上向きまたは下向きに折り曲がることが許容される。靴を履く入が、ゴルフグリーンのような比較的平坦で固い地表上を歩く時のように、十分な体重または垂直方向の圧力が、滑り止め構造体１０に加えられると、芝係合突起１２ａ，１２ｂ，１２ｃおよび１２ｄが、上向きに折り曲がる。芝係合突起１２ａ，１２ｂ，１２ｃおよび１２ｄの可撓性は、材料選択によって制御できる。例えば、柔らかい材料によって、可撓性の大きい突起１２ａ，１２ｂ，１２ｃ、および１２ｄとなり、子供のような体重が軽い人用の滑り止め構造体１０に用いることができる。
【００２３】
各滑り止め構造体ｌ０の中心ハブ部２０は、靴裏３０ａの対応する係合ねじ穴に取り付けるねじ部２４を有する。十字形の穴２２は、中心ハブ部２０に形成され、ねじ部２４の芯内を上向きに延びる。十字形の穴２２には、靴裏３０ａに滑り止め構造体１０を締めつけるプラスねじドライバが嵌まる。
【００２４】
図７，８および９に、ゴルフシューズ３０を履いている人が、フェアウェーのような芝生領域３２上を歩く場合の滑り止め構造体１０の動作を明示する。図７に示すように、歩行の最初では、ゴルフシューズ３０および滑り止め構造体ｌ０は、芝生３２および地面３６の上方にある。滑り止め構造体１０の芝係合突起１２ａ，１２ｂ，１２ｃおよび１２ｄは、型成形された元の方向を向いている。
【００２５】
図８に示すように、ゴルフシューズ３０は、芝生３２および地面３６に降ろされる。芝生３８の一部のエリアが、滑り止め構造体１０の下側で密度が高くなる。代表的なフェアウェーでは、芝生３２は、背の高い先端（ｌｏｆｔ）を有し、芝係合突起１２ａ，１２ｂ，１２ｃおよび１２ｄは、型成形された位置を維持する。滑り止め構造体１０は、芝生３２または地面３６にからまったり傷つけたりしない。密度が高くなった芝生３８に対する垂直方向の圧力は、芝係合突起１２ａ，１２ｂ，１２ｃおよび１２ｄを上向きに折り曲げたり偏向するのに十分ではないので、円形状の溝３４は、開いたままである。
【００２６】
図９において、ゴルフシューズ３０および滑り止め構造体１０が、矢印２７（図４）の方向に、芝生に沿って横方向にスライドすると、芝係合突起１２ａおよび１２ｂが、芝生３２の上位層でからみ、下向きに折り曲がるか偏向して、ゴルフシューズ３０の矢印２７の方向におけるスリップを止める。円形状の溝３４は、芝生でふさがれ、さらに、芝係合突起１２ａおよび１２ｂを下方に押しつける。芝係合突起１２ｄ（見えない）は、芝生内にからもうとしない。これは、前縁が凸形側縁１６ｄで、これに逆らって芝生がスライドするからである。その結果、芝係合突起１２ｄは、円形状の溝３４内で上向きに折り曲がろうとする。芝係合突起１２ｃも、円形状の溝３４内で上向きに折り曲がろうとする。
【００２７】
短い凹形側縁１４ａ，１４ｂ，１４ｃおよび１４ｄと組み合わされた、長い凸形側縁１６ａ，１６ｂ，１６ｃおよび１６ｄが、使用中に滑り止め構造体１０の自動締めつけ（ｓｅｌｆ  ｔｉｇｈｔｅｎｉｎｇ）を容易にする。矢印２６（図４）は、滑り止め構造体１０が、靴裏３０ａにねじ止めされる方向を示す。滑り止め構造体１０が矢印２７の方向に横滑りした場合、芝生による抵抗が矢印２８，２８，２８’’の方向から等しく加えられる。芝生の上位層が、芝係合突起１２ａの側縁１４ａの短い凹形表面をつかむ。同時に、芝生が、芝係合突起１２ｃの長い凸形側縁１６ｃの周囲を滑るので、芝係合突起１２ｃは、芝係合突起１２ａのような大きい力でつかまれない。これは、加えられた力が、最終的に、滑り止め構造体１０を緩めるよりも、矢印２６の方向に滑り止め構造体１０を締めつけることを意味する。
【００２８】
図１０は、ゴルフグリーンのような密集した短い芝生４０の区域を歩く時の滑り止め構造体１０の動作を示す。滑り止め構造体１０の下の芝生４２の領域は、滑り止め構造体１０の垂直方向の圧力によって、密度が高められる。芝係合突起１２ａ，１２ｂ，１２ｃおよび１２ｄは、ゴルフグリーンの比較的固い地表によって上向きに折り曲げられるか、偏向され、芝生４０にからまない。したがって、ゴルフグリーンヘのダメージを防止できる。芝係合突起は、また、アスファルトや屋内の床材のような固い表面上を歩く時に、上向きに折り曲げられて、これらの表面を傷つけない。
【００２９】
図１１は、別の好適な滑り止め構造体５０を示し、滑り止め構造体５０は、ねじドライバでゴルフシューズ３０の裏３０ａに、滑り止め構造体５０を締めつけるスロット５２を有する点で、先の滑り止め構造体１０とは異なっている。スロット５２は、１０セント硬貨のようなコインの側端で締めつけられるように、十分大きく作成される。
【００３０】
図１２は、さらに別の好適な滑り止め構造体５４を示し、滑り止め構造体５４は、ゴルフシューズ３０の裏３０ａに、滑り止め構造体５４を締めつける２つの穴５６を有する点で、先の滑り止め構造体１０とは異なっている。穴５６に係合する２つの突起を有する工具が、滑り止め構造体５４を締めつけるのに用いられる。
【００３１】
図１３は、さらに別の好適な滑り止め構造体７０を示し、芝係合突起７２ａ，７２ｂ，７２ｃおよび７２ｄの幅が広く、これらが相互に実質上垂直にハブ部２０から延びている点で、先の滑り止め構造体１０とは異なっている。さらに、滑り止め構造体７０は、三角形の工具で滑り止め構造体７０を締めつける三角穴７４を有する。
【００３２】
図１４および１５は、さらに別の好適な滑り止め構造体７６を示し、芝係合突起７８ａ，７８ｂ，７８ｃおよび７８ｄが、平行な側縁８２および平坦な頂部８０を有するので、芝係合突起７８ａ，７８ｂ，７８ｃおよび７８ｄが、外向きおよび下向きに、外向きのらせん形の代わりに、比較的まっすぐな形態でハブよりも外方および下方に延びている点で、先の滑り止め構造体１０とは異なっている。さらに、滑り止め構造体７６は、六角レンチで滑り止め構造体７６を締めつける六角穴７９を有する。
【００３３】
本発明は、好適な実施形態を参照して、特別に示し、詳述したが、請求の範囲によって明らかにされる本発明の趣旨と範囲を逸脱しないで、形式または細部を種々変更できることは、当業者に理解されるであろう。例えば、四角穴や星形の穴のような、他の適当な形を有する穴を、他の一般的な型のドライバに適応するために、本発明の滑り止め構造体に形成できる。さらに、本発明の滑り止め構造体は、ゴルフシューズに引っ掛かりを与えるために詳述したが、代わりに、この滑り止め構造体の使用は、ゴルフシューズに限定されないが、草以外の表面のほかに、サッカーやフットボールのような他の適当な目的に用いることができる。さらに、それぞれの好適な滑り止め構造体は４つの突起を有するとして説明したが、代わりに、４つ以外の数の突起を用いてもよい。
【００３４】
【発明の効果】
本発明は、従来のスパイクと同様の支持を提供し、同時に、ゴルフコースグリーンのような芝生を傷つけないゴルフシューズのような履物の滑り止め構造体を提供する。
【図面の簡単な説明】
【図１】図１は、ゴルフグリーンのような密集した短い芝生の区域における、慣習的な従来の金属スパイクの側面図である。
【図２】図２は、密集した短い芝生の区域における、多数の小さい突起からなる従来のスパイクの側面図である。
【図３】図３は、本発明の滑り止め構造体を有するゴルフシューズの底面図である。
【図４】図４は、本発明の滑り止め構造体の底面図である。
【図５】図５は、本発明の滑り止め構造体の側面図である。
【図６】図６は、本発明の滑り止め構造体の側断面図である。
【図７】図７は、芝生の区域に置かれた靴の底の本発明の滑り止め構造体を示す側面図である。
【図８】図８は、芝生の区域内における滑り止め構造体の側面図である。
【図９】図９は、芝生の区域に突起がからんだ状態を示す滑り止め構造体の側面図である。
【図１０】図１０は、ゴルフグリーンのような密集した短い芝生の区域で圧縮された位置の突起がからんだ状態を示す滑り止め構造体の側面図である。
【図１１】図１１は、別の好適な滑り止め構造体の底面図である。
【図１２】図１２は、さらに別の好適な滑り止め構造体の底面図である。
【図１３】図１３は、さらに別の好適な滑り止め構造体の底面図である。
【図１４】図１４は、さらに別の好適な滑り止め構造体の底面図である。
【図１５】図１５は、図１４の滑り止め構造体の側断面図である。
【図１】
0004082955.tif 000002
【図２】
0004082955.tif 000003
【図３】
0004082955.tif 000004
【図４】
0004082955.tif 000005
【図５】
0004082955.tif 000006
【図６】
0004082955.tif 000007
【図７】
0004082955.tif 000008
【図８】
0004082955.tif 000009
【図９】
0004082955.tif 000010
【図１０】
0004082955.tif 000011
【図１１】
0004082955.tif 000012
【図１２】
0004082955.tif 000013
【図１３】
0004082955.tif 000014
【図１４】
0004082955.tif 000015
【図１５】
0004082955.tif 000016